(57)【特許請求の範囲】
【請求項１】
回路システムであって、
複数のスイッチ信号を記録するためのサーバ・デバイスと、
前記複数のスイッチ信号を送信するための複数のクライアント回路と、
いくつかの入力ゾーンを備え、少なくとも１つのクライアントがこれらの入力ゾーンの１つに割り当てられる入力パネルとを備え、
前記クライアント回路の、前記サーバ・デバイスとの信号の技術的結合が、電場−電気交換効果に基づいて準静的交番電場の変調を介して行われ、
前記クライアント回路が前記サーバ・デバイスに結合され、当該サーバ・デバイスがキャリア周波数を有する交番信号により無線で前記クライアント回路にエネルギーを供給し、かつ、前記クライアント回路がクライアントの識別及びセンサ・データを前記交番信号の変調により前記サーバ・デバイスと通信し、
個々の前記クライアント回路及び前記サーバ・デバイスが構成され、このことによって、前記サーバ・デバイスのエリア内において、前記スイッチ信号又は前記スイッチ信号の情報内容を前記クライアント回路に明瞭に対応させることが、前記スイッチ信号によって引き起こされることが可能になり、
前記サーバ・デバイスが、当該サーバ・デバイスに結合した第1の電極と前記クライアント回路に結合した第２の電極により前記クライアント回路に容量性接続されることを特徴とする回路システム。
【請求項２】
前記クライアント回路内のキャリア周波数のデジタル周波数分割によって、サーバ・クライアント・システムの同期動作が行われ、各クライアント回路が応答信号を変調するために異なる周波数を発生することを特徴とする請求項１に記載の回路システム。
【請求項３】
一定の周波数ではなく、代替として、クライアント・スイッチが、クライアントＩＤを生成するためのコードで活動化されることを特徴とする請求項１に記載の回路システム。
【請求項４】
前記コードが、前記クライアント回路の製造中又は設置中に、個々にプログラムされることを特徴とする請求項３に記載の回路システム。
【請求項５】
前記クライアント回路の活動化時に、プログラムされた前記コードが、受信されたキャリア信号から導出されるゲーティング、又は自由に動作する発振器によって生成されるゲーティングによって選択されることを特徴とする請求項５に記載の回路システム。
【請求項６】
前記クライアント回路は直交符号を選択することによって符号化され、符号多重化システムが構成され、その場合、様々なクライアントは、同じキャリア周波数ですべてのクライアントに割り当てられるコード情報によって区別されることを特徴とする請求項１から請求項５のいずれか１項に記載の回路システム。
【請求項７】
様々なクライアント回路の符号化では、当該クライアント回路が前記サーバ・デバイスに負荷を与えるため直列接続された２つのスイッチを備え、前記スイッチの各々が異なるスイッチ周波数で同時に動作されることを特徴とする請求項６に記載の回路システム。
【請求項８】
前記サーバ・デバイスは誘導結合により前記クライアント回路に結合していることを特徴とする請求項１に記載の回路システム。
【請求項９】
符号化のために前記クライアント回路は単一スイッチを動作させるために２つ以上の周波数を発生し、その場合、２つ以上の異なる周波数で前記単一スイッチが順次活動化され、それにより、媒体スイッチ周波数のＦＳＫ変調を実現することができることを特徴とする請求項１から請求項８のいずれか１項に記載の回路システム。
【請求項１０】
前記クライアント回路がパルス幅変調で前記負荷を変調できることを特徴とする請求項７に記載の回路システム。
【請求項１１】
前記スイッチの動作を検出するための前記準静的交番電場が前記サーバ・デバイスの前記交番信号により与えられることを特徴とする請求項１から請求項１０のいずれか１項に記載の回路システム。
【請求項１２】
いくつかの入力ゾーンを備える入力パネルを有する電気装置であって、少なくとも１つのクライアントがこれらの入力ゾーンに割り当てられ、ある回路システムのこのクライアント構成部品が請求項１から請求項１１のいずれか１項に従って構成されることを特徴とする電気装置。
【請求項１３】
いくつかの電極デバイスが前記サーバ・デバイスに取り付けられ、それにより、これらの電極デバイスに、様々な空間的エリアとその中に位置するクライアントとが割り当てられること、及びこれらの電極デバイスがマルチプレクサを介して活動化されることを特徴とする請求項１２に記載の電気装置。
【請求項１４】
システムであって、
複数のスイッチ信号を記録するためのサーバ・デバイスと、
前記複数のスイッチ信号を送信するための複数のクライアント回路であって、当該クライアント回路は電場−電気交換効果に基づいて準静的交番電場の変調を介してユーザによるスイッチ動作を検出可能である当該クライアント回路と、
いくつかの入力ゾーンを備え、少なくとも１つのクライアントがこれらの入力ゾーンに割り当てられる入力パネルとを備え、
前記クライアント回路が前記サーバ・デバイスに結合され、当該サーバ・デバイスがキャリア周波数を有する交番信号により無線で前記クライアント回路にエネルギーを供給し、かつ、前記クライアント回路がクライアントの識別及びセンサ・データを給電キャリア上での１つ若しくは複数の周波数の、又はクライアントからのコードの付加的な重ね合わせにより前記サーバ・デバイスと通信し、
個々の前記クライアント回路及び前記サーバ・デバイスが構成され、このことによって、前記サーバ・デバイスのエリア内において、前記スイッチ信号又は前記スイッチ信号の情報内容を前記クライアント回路に明瞭に対応させることが、前記スイッチ信号によって引き起こされることが可能になり、
前記サーバ・デバイスが、当該サーバ・デバイスに結合した第1の電極と前記クライアント回路に結合した第２の電極により前記クライアント回路に容量性接続され、前記重ね合わせがおこなわれて、前記クライアント回路内で前記サーバ・デバイスの前記キャリア周波数によって活動化されるジェネレータが、前記第２の電極と結合し、前記キャリア周波数を除いて、クライアント信号の周波数混合が、より低い周波数帯で付加的に行われることを特徴とするシステム。
【請求項１５】
前記クライアント回路からの応答信号が、前記サーバ・デバイスにある低域通過フィルタ手段により、復号化キャリアから分離されることを特徴とする請求項１４に記載のシステム。
【請求項１６】
いくつかの電極デバイスが前記サーバ・デバイスに取り付けられ、それにより、これらの電極デバイスに、様々な空間的エリアとその中に位置するクライアント回路とが割り当てられること、及びこれらの電極デバイスがマルチプレクサを介して活動化されることを特徴とする請求項１４に記載のシステム。
【発明の詳細な説明】
【技術分野】
【０００１】
本発明は、電気回路構成に関する。
【背景技術】
【０００２】
また、特に電気装置と共に使用するためのスイッチ信号を蓄積及び送信する方法に関する。
【発明の概要】
【発明が解決しようとする課題】
【０００３】
本発明は、全体的にコスト効果的に実現可能な、また、スイッチ又は入力ゾーンの配置又は形成に関して大きな設計自由度をもたらす回路構成を生み出すという課題に基づくものである。
【課題を解決するための手段】
【０００４】
この課題は、本発明により、コマンド信号を受信するための信号受信デバイスと、操作信号を送信するための操作信号トランシーバ装置と、コマンド信号を処理するための共通ベース接続部と、入力回路の向かい側で実行された入力操作に従ってコマンド信号を発行するための、少なくとも１つの入力回路とを備える回路構成であって、入力回路が、電極デバイスの周囲エリア内における関連の電場−電気変化によって入力操作を記録するための電極デバイスを備えること、及び入力回路が、操作電力供給が入力回路に隣接する操作信号を介して行われるようにさらに形成されることを特徴とする回路構成によって解決される。
【０００５】
このようにして回路構成を生み出すことが有利な形で可能であり、この回路構成によって、ここで障害物によって遮られた電子構成部品の広範な変更を行うことなしに、ユーザにとってアクセス可能な電気装置の入力エリアを形成することが、十分な柔軟性をもってできる。
【０００６】
本発明の特に好ましい実施形態によれば、操作信号トランシーバ装置は、その場の強度が交番している磁場Ｂを伝達するための伝達コイルを備えるように形成される。
【０００７】
したがって必要に応じて配置することができる入力回路は、上述の交番磁場Ｂからエネルギーを拾い上げるための入力回路巻線デバイスを備えることが好ましい。
【０００８】
操作信号トランシーバ装置を介して生成された操作信号は、少なくとも断続的にアドレス情報と共にバックアップされるように変調されることが好ましい。
【０００９】
明確な検出の発生に関連して、決定された入力回路をそのアドレス情報によって割り当て、活動化し、刺激することができるように、このアドレス情報は調整しておくことができる。
【００１０】
この概念により、入力エリア、特にスイッチ・パネルのきわめて多様な入力操作のために設けられた多数の入力回路によって生成されるコマンド信号を、最終的に衝突することなしに共通ベース接続部が処理することができるようなものとして、本発明による回路構成を構築することが可能である。
【００１１】
それぞれの入力回路によって発行されるコマンド信号はまた、入力回路巻線デバイスを介し、この媒体が双方向交差点として働くように発行されることが好ましい。
【００１２】
信号受信デバイスは、入力巻線デバイスを介して発行されたコマンド信号を受信するための信号受信巻線デバイスを備えるように形成されることが好ましい。信号受信巻線デバイスと操作信号巻線デバイスを共通のコイルに一体化することが可能である。このコイルは、そのコイルによって生成される磁場Ｂが高い効率レベルでスイッチ・システムの入力回路をカバーするように配置されることが好ましい。
【００１３】
そのために、このコイルは、入力回路の配置エリアを縁取るように張られることが好ましい。したがって、操作信号巻線デバイスを介して生成される磁束線が好ましくは直角で入力回路巻線デバイスと出会うように少なくとも入力回路巻線デバイスが配置されるように、入力回路を形成することができる。
【００１４】
それぞれの入力回路を介して生成されるコマンド信号は、操作信号の「インピーダンス変調」によって共通ベース接続部に向けて返すことができる。
【００１５】
その代替として、又はこの方法と組み合わせて、コマンド信号を、操作信号の周波数範囲と反対側にオフセットされた周波数範囲に属すると考えることも可能である。また、それぞれの入力回路を介して操作信号に対するある時間オフセットと共に生成されたコマンド信号が発行されるように回路装置を構築することも可能である。
【００１６】
操作信号は、キャリア信号を表すように生成することができ、ベース・ユニットに戻るコマンド信号が、そのキャリア信号を参照する変調方法、特にＦＳＫ、（Ｑ−）ＰＳＫによって生成される。
【００１７】
コマンド信号は、オン／オフ情報を送信するように生成することができる。さらに、入力回路によって発行されるコマンド信号がある値範囲内、たとえば０〜２５６の範囲内の値を送信するように形成されている入力回路を供給することも可能である。
【００１８】
それぞれの入力回路は、それによって事前設定の値に従って発行されるコマンド信号が、近接の発生、たとえば指が近接していることに相関されるように、集積回路（特にＡＳＣＩ）によって形成することができる。入力回路エリア内に記憶装置を設けることが可能であり、それらの記憶装置を介して、決定された機能特性について入力回路をプログラムすることが可能である。
【００１９】
また、この入力回路の個々のアドレスが入力回路プログラミング・モードの範囲内で設定可能であるように回路構成を構築することも可能である。また、その特定のアドレスを、機械的な方法、たとえば決定された、露出したライン区間の切断又はバイパス、或いはスイッチ構造の移動によって決定することができるように回路構成を構築することも可能である。
【００２０】
本発明はまた、サーバ回路と、いくつかのクライアント回路とを備え、たとえばオペレータによる入力操作又は機械の状況によって必要とされるスイッチ・プロセスを処理するために、サーバ回路用の信号をこれらのクライアント回路を介して返すことを可能にする回路構成をさらに参照する。特にこれに関連して、本発明は、電気装置内のスイッチ・プロセスを処理するための回路構成に関し、又は、特に職場及び車内などユーザの環境の分野に関する。
【００２１】
これに関して、本発明は、信号生成に役立つクライアント回路のうちのいくつかとサーバ回路との間に、入力操作又は検出の発生に関連して存在する信号転送を処理することが可能になる解決策を生み出すという課題をその基礎として取り上げ、これまでの概念から改良された概念にする。
【００２２】
この課題は、本発明により、クライアント・スイッチに隣接する原因イベントの１つに従ってスイッチ信号を生成するための、いくつかのクライアント回路と、それぞれクライアント回路によって発行されるスイッチ信号を記録するためのサーバ回路とを備える回路構成であって、クライアント回路の、サーバ回路との信号の技術的結合が、変調された準静的交番電場に基づいて行われ、クライアント回路が、第１の電極Ｅ１及び第２の電極Ｅ２を有する電極デバイスを備え、この電極デバイスが、インターフェース媒体として働き、さらにそれぞれのクライアント回路の電力供給がこの電極デバイスを介して行われ、それぞれのクライアント回路からサーバ回路への信号転送が負荷変調を介して行われ、負荷変調が直列スイッチを介して行われる、回路構成によって解決される。
【００２３】
好ましくは、この直列スイッチは、２つの反直列で相互接続されたトランジスタ（ＭＯＳＦＥＴ）からなる。これにより、サーバ信号の両半波に関する分離度を最大化することが、特に有利な形で可能である。
【００２４】
上述のプロセスに対する代替として、より複雑な変調及び信号コード化形態を使用することができるように、たとえば第１のサブスイッチをクライアント応答周波数で変調し、第２のサブスイッチが他の独立した周波数又はコードで変調されるように、直列スイッチを２つのサブスイッチ（たとえば、上述のトランジスタ）の直列接続として設計することも可能である。
【００２５】
本発明による回路構成は、クライアントを、それらの変調周波数に従って区別することができるように形成されることが好ましい。これにより、送信データの起こり得るクラッシュを回避することが可能である。
【００２６】
変調周波数は、サーバ信号に対して同期させるために、また（たとえば温度変化による）周波数ドリフトを少なくとも大部分抑制するために、分周器によって生成されることが好ましい。
【００２７】
本発明の特定の態様によれば、クライアント回路の少なくともいくつかは、これによって実現されるクライアントが、その回答（たとえば分周比）を、サーバによって送信されたデータによって変えることができるように構築される。これにより、オンラインで再構成可能であり、それにより、特に感度を正常に機能しないところまで低下させる追加の選択肢が提供されるようにシステムを形成することが、有利な形で可能である。
【００２８】
応答信号の特定の周波数により単一のクライアントを識別することに対する代替として、クライアントを、それらが送るコードに従って互いに区別することができるようにクライアント回路をレイアウトすることも可能である。これにより、比較的多数のクライアント回路を確実に管理することが可能である。
【００２９】
クライアント回路は、永続的に信号送信を行うようなものとしてレイアウトすることができる。これにより、戻り信号の振幅、たとえば１ビット・コード＝はい／いいえを介して、又は連続的に変化するイベント、たとえばそれぞれのクライアントに物体が近接していることによって引き起こされるクライアント・スイッチの環境内の誘電特性の変化に相関されるレベル値として、サーバ内の情報転送を可能にすることができる。
【００３０】
これによって特に、たとえばユーザの手足がそれぞれのクライアント回路に近接していることを表す信号レベルの実質的に連続的な変化を介して、サーバ回路に情報を送信することが可能である。
【００３１】
上述の永続的な操作手法に対する代替として、パルス幅変調の形態でサーバ内の情報転送を可能にするために、また、レンジを拡大するために（パルス・モードはより小さい出力を必要とする）、クライアントがパルス・モードで機能することも可能である。
【００３２】
また、器具内でのピット・ライニング中、又はその後にのみ、分割関係の予約、又はクライアントの個別化を行うことが、有利な形で可能である。この点に関して、この回路構成は、構造が均一な、また特定の識別子が割り当てられたピット・ライニングの範囲内だけで使用されるいくつかのクライアントを含むことができる。様々なクライアント間で区別することができるようにするためのクライアントの個別化と共に、クライアントにプログラミング手段又は切替え手段を設け、それにより、具体的には、たとえばアナログ・レベル記録を処理すべきかどうか、又はオン／オフ・スイッチ機能を実現すべきかどうかという必要に応じて、クライアントの機能特性を調整することができるように、クライアントを形成することも可能である。特に電気装置の場合に本発明による回路構成を展開する際には、本発明による回路構成を展開することによって、製品デバイスのバリエーション手段を生み出すことが可能である（たとえば、完成デバイスのキー割当てが、オペレータ・パネルの添付の刻印と共に特注で行われる）。
【００３３】
クライアントの分周比は、それらの生産によってしっかりとプログラムすることができる。
【００３４】
クライアントは、小さな構成部品刻印、又は他の特徴物によって特徴付けることができ、それにより、必要な場合にこれらのクライアントを互いに区別することができるように予め構成することができる。これにより、設置後にプログラミングを進歩させることなしですますこと、又はそれらの構成に関して再び修正すべきいくつかのクライアントに対してのみこれを行うことが可能である。
【００３５】
クライアントの結合表面は、平板コンデンサのように互いに平行に形成することができる。単一のクライアントは、小さい「ペレット」又は硬貨のような構成部品として設計することができる。好ましくは、クライアントは、許容できない強い電場が外側からそれぞれのクライアントに作用したとき繊細な回路エリアの不適切な負荷を防止する保護回路を内部に備える。
【００３６】
好ましくはＡＳＩＣによって実現されるニュークレオニクスを、２つの結合表面間の中間エリア内に配置することができる。
【００３７】
また、クライアントの結合エリアが、特に共通面上で互いに並んで配置されるクライアント・タイプを実現することが可能である。そのような構造は、たとえば、クライアントを直接取り囲むエリア内の誘電特性の変化によって−たとえば、指又はある物体が近接していることによって引き起こされる可能性があるブリッジ効果を記録するのに特に適している。
【００３８】
また、クライアントが小さな結合表面だけを提供し、クライアントを担持構造物に取り付けている間、これらの表面が、好適な寸法の（たとえば、導電性ワニスが付着された）これらの用意された電極と接触するようにクライアントを構築することが可能である。これにより、たとえば、ＣＩＭモンタージュ・プロセスによって特定の主要構成部品、ケース、カバー、引出しなどに取り付けられ、この点に関して、電極システムに接触される、非常に小さなクライアントを生み出すことが可能である。
【００３９】
本発明による回路構成は、この回路構成を介して、１つ又は複数の決定されたクライアントが、画定されたエリア内、又は規定された位置に位置するかどうか検査することができるように構築することができる。
【００４０】
この概念によって、電化製品のシステムのステータスを記録することが可能である。
【００４１】
洗濯機の形態の家庭用電化製品の場合、たとえば、ふるい又は粉末洗剤室が正しい位置にあるかどうか明らかにすることができる。システムのステータスを記録するために使用されるクライアントは、対応する構成部品、たとえば、ふるい、引出しなどに一体化することができる。
【００４２】
また、ある種のシステム・ステータスを記録するために設計されたクライアントを配置することが可能であり、それにより、それらのクライアントを介して、決定された、たとえば取外し式の要素が事前設定の位置に配置されているかどうか明らかにすることができる。
【００４３】
したがって、上述のふるい又は引出しを形成することが可能であり、このことで、ふるい又は引出しを介してクライアントの環境内の誘電特性が著しく変化し、信号生成を可能にするそれらの変化の１つを、クライアントを介してもたらすことができる。
【００４４】
その位置を変更することができる取外し式構成部品は、それ自体が「ＺＰＳ」クライアントを含むのではなく、監視用ＺＰＳクライアントの環境内の電場だけが変化し、それにより、指名された部品が存在するか否かについての結論を出すことが可能になるようなものとして形成することができる。
【００４５】
たとえば、取外し式部品は、ＺＰＳクライアントの電極を介して電場を「短絡」し、これによりＺＰＳクライアントをオフに切り替える、或いは代わりに、ＺＰＳサーバ（又はマス）との接続を行い、ＺＰＳをオンにする導電面を含む。
【００４６】
クライアントは、モジュール構成とすることができ、この点に関して、信号処理モジュール及び電極モジュールを含む。信号処理モジュールは、ＡＳＩＣを備える標準的なモジュールとして設計することができる。特定の挿入要件は、電極モジュールを介して説明される。
【００４７】
本発明の他の態様によれば、電気回路構成、並びに、特に電気装置と共に応用するための、スイッチ信号を蓄積及び送信する方法をも対象とする。
【００４８】
この文脈における本発明は、全体的にコスト効果的に実現可能な、また、スイッチ又は入力ゾーンの配置又は形成に関して高い設計自由度をもたらし、高い信頼度によって定義される回路構成を生み出すことをその目的として取り上げる。
【００４９】
この課題は、本発明により、スイッチ信号を記録するためのサーバ・デバイスと、これらのスイッチ信号を送信するためのいくつかのクライアント回路とを備える回路構成であって、電場−電気交換効果に基づくクライアント回路の、サーバ・デバイスとの信号の技術的結合が、準静的交番電場の変調を介して行われ、単一のクライアント回路及びサーバ・デバイスが構成され、このことで、サーバ・デバイスのエリア内において、スイッチ信号又はそのスイッチ信号の情報内容を、このスイッチ信号に関する原因であるクライアント・スイッチに明瞭に相関させることができる、回路構成によって解決される。
【００５０】
好ましくは、サーバ・デバイスは、スイッチ信号を受信するために、電極受信デバイスを備える。この電極受信デバイスはまた、キャリア周波数の要件に従って、変調された「給電電場」がこの電極受信デバイスを介して生成されるように、サーバ・デバイスに取り付けることができる。この給電電場もまた、明確なアドレス情報及びコマンド内容を含み、それらを介して単一のクライアント回路を具体的に参照することができるように変調することができる。
【００５１】
クライアント回路を全体システムに組み込むことは、サーバ・デバイスとのクライアント回路の電場−電気結合の強度増大が、それぞれのクライアント回路に作用する入力発生と共に達成され、この強度増大が、スイッチ状態を決定する際に、又は調整値を識別する際に考慮されるように行うことができる。
【００５２】
その代替として、又はこの対策と組み合わせて、この回路構成とのクライアント回路の、好ましくは永続的に適切な電場−電気結合のための提供に到達すること、また、ローカル・スイッチ又はセンサ・デバイス、特にＬＣセンサ・ネットワークを介して、クライアント回路のエリア内での入力発生をローカルで記録することも可能である。
【００５３】
次いで、クライアント回路からサーバへのスイッチ信号送信は、特にインピーダンス変調を介して、或いは１つ又は複数の周波数又はクライアントからのコードの付加的な重ね合わせを介して給電キャリア上で行うことができる。
【００５４】
クライアント回路は、操作電力供給が、好ましくはキャリア周波数でサーバ・デバイスによって発行された変調電場を介して行われるように形成されることが好ましい。
【００５５】
さらに、クライアント回路は、電極デバイスの周囲エリア内における関連の電場−電気変化によって入力操作を記録するための電極デバイスをそれぞれが含むように形成されることが好ましい。この電極デバイスは、好ましくはコンデンサの一部を構成し、ここでは、入力発生を記録するために設けられている観測エリアが、このコンデンサの容量を共に決定する誘電材料を含む−この容量は入力発生に従って変化する。
【００５６】
給電電場の内側で自由に配置可能なクライアント回路の適切な記録範囲に基づいて、回路構成を生み出すことが、有利な形で可能であり、このことによって、この目的のために広範な変更を障害物で遮られた電子構成部品に加えることなしに、ユーザにとってアクセス可能な電気装置の入力エリアを形成することが、十分な柔軟性をもってできる。
【００５７】
本発明によるサーバ・クライアント・システムを形成することができる。このシステムの形成によって、特に、各クライアントに周波数符号化のためのそれ自体の測定係数が割り当てられるようなスイッチを活動化するための、クライアント内のキャリア周波数のデジタル周波数分割によって、システムの同期動作がもたらされる。これにより、同期動作する周波数多重システムが開発される。
【００５８】
一定の周波数の代わりに、クライアント・スイッチは、代替として、クライアントＩＤを生成するためのコードで活動化させることができる。このコードは、特にクライアントの製造中、又はキャリア構造にそれぞれのクライアントを装備している間に、個々にプログラムすることができ、受信されたキャリア信号から導出されるゲーティング、又は自由に動作する発振器によって生成されるゲーティングによってクライアントが活動化するとき選択される。
【００５９】
本発明のさらなる詳細及び特徴は、図面と共に以下の説明で明らかになる。
【図面の簡単な説明】
【００６０】
【図１】本発明による回路構成の基本構造の、例としての概略図である。
【図２】本発明による不定に配置可能な入力要素の構造の、例としての横断面図である。
【図３】本発明による入力回路の好ましい回路構成の、例示のための概略図である。
【図４】本発明による回路構成の家庭用電化製品における使用の、例としての遠近図である。
【図５】本発明による回路構成の、フラットスクリーン・モニタの場合における使用の、例としての略図である。
【図６】本発明による回路構成の自動車コクピットにおける使用の、例としての略図である。
【図７】本発明による回路構成の自動車シートにおける使用の、例としての略図である。
【図８】本発明による、値Ｐを入力回路に対して指が近接していることに相関させるところの、例としての図である。
【図９】本発明による回路構成のための本発明によるＺＰＳクライアントのブロック図を含む、本発明による回路構成の基本構造の、例としての略図である。
【図１０】本発明によるＺＰＳクライアントの好ましい内部構造の、例としての回路図である。
【図１１】本発明による回路構成のための本発明によるＺＰＳクライアントの他の変形形態の構造の、例としての別のブロック図である。
【図１２】信号送信経路がユーザに向けられたシステム変形形態の、例としての略図である。
【図１３】コードが各クライアントに割り当てられ、それによりこれらのクライアントのコードがすべて同じキャリア周波数によって発行される、本発明による回路システムの構造の、例としてのブロック図である。
【図１４】直列で配置された２つのスイッチを使用する符号化概念の、例としてのチャートである。
【図１５】他の符号化概念の、例としての別のチャートである。
【図１６】給電キャリア上での１つ又は複数の周波数又はコードの付加的な重ね合わせが行われる本発明による回路システムの構造の、例としてのブロック図である。
【図１７】クライアントの異なるグループに異なるキャリア周波数が割り当てられる、本発明による回路システムの構造の、例としてのブロック図である。
【図１８】異なるクライアント・グループ用の電極がサーバのところでマルチプレクサを介して次々に接続され、サーバによって給電される、本発明による回路システムの構造の、例としてのブロック図である。
【図１９】クライアントが電界センサとして形成され、電化製品、特に家庭用電化製品の操作用目隠し要素上に内向きで配置される、本発明による回路システムの構造の、例としてのブロック図である。
【発明を実施するための形態】
【００６１】
図１に表されている回路構成は、コマンド信号Ｓを受信するための信号受信デバイスＳＥと、操作信号ＢＩを送信するための操作信号トランシーバ装置ＢＳとを備え、図の実施形態では、信号受信デバイスＳＥと操作信号トランシーバ装置ＢＳが組み合わされている。
【００６２】
さらに、この回路構成は、信号受信デバイスＳＥを介して受信されたコマンド信号を処理するための共通ベース接続部Ｂと、たとえばここに示されているユーザの指Ｆによって入力回路Ｉの向かい側で実行された入力操作に従って制御信号Ｓを発行するための、少なくとも１つの入力回路Ｉとを備える。
【００６３】
ここに表されている回路構成は、入力回路Ｉが、電極デバイスＥ１、Ｅ２、Ｅ３の周囲エリア内における関連の電場−電気変化により入力操作を記録するための電極デバイスＥ１、Ｅ２、Ｅ３を備えることを特徴とする。さらに、この回路構成は、操作電力供給が、操作信号トランシーバ装置ＢＳを介して送信された、入力回路Ｉに隣接する操作信号を介してもたらされるように、上述の入力回路Ｉが形成されることを特徴とする。
【００６４】
図の実施形態では、操作信号トランシーバ装置が、その場の強度に関して交番している磁場Ｂの形態の操作信号ＢＳを送信するための操作信号巻線デバイスとして形成される。入力回路Ｉは、上述の交番磁場Ｂからエネルギーを拾い上げるための入力回路巻線デバイスＩＳを備える。
【００６５】
図の実施形態では、操作信号トランシーバ装置によって放射される磁場Ｂは、アドレス情報が供給されるように変調され、それにより、十分な強度で磁場Ｂから混合するエリアの内側で使用可能な入力回路を、特に活動化する、すなわち割り当てることができる。図の実施形態では、アドレス情報が、共通ベース接続部Ｂを介して決定される。
【００６６】
ここではスプーラデバイスとしても形成されている信号受信デバイスＳＥに伝えられるコマンド信号Ｓはまた、図の実施形態では変調された磁場Ｂの形態で、入力スプーラ装置ＩＳを介して生成される。信号受信デバイスＳＥに伝えられるコマンド信号Ｓは、共通ベース接続部Ｂを介して記録され、スイッチ状態を決定するために、共通ベース接続部Ｂ内に一体化された電子回路、好ましくはプログラム可能な回路によって使用される。出力ラインＡ１、Ａ２、Ａ３は、これらのスイッチ状態を介して接続することができる。
【００６７】
図の実施形態では、信号受信デバイスＳＥを実現するために、また操作信号トランシーバ装置のために設けられたコイルは、入力回路Ｉの概略エリアを縁取るように形成される。このスプーラ・デバイスＳＩによって縁取られたエリアのすぐ内側では、入力回路Ｉによってそれぞれ拾い上げられた磁場Ｂを介して、入力回路Ｉの特に効率的な電力供給を行うことが可能である。しかし、比較的低い場の強度の場合にもすでに動作が可能であるように入力回路をレイアウトすること、及びこれらの効率的な入力回路をコイルによって縁取られたエリアの外側に配置することも可能である。
【００６８】
共通ベース接続部Ｂに対する制御信号Ｓのフィードバックを、たとえば操作信号ＢＳによって直接与えられるキャリア周波数を参照する特別な変調方法によって特に行うことができる。コマンド信号Ｓは、やはり入力回路Ｉのエリア内における処理された検出基準により決定されるオン／オフ情報だけを表すように生成することができる。また、その代替として、コマンド信号を介してデジタル形態で数値を送信することも可能であり、このコマンド信号は、たとえば、現在電極デバイスＥ１、Ｅ２、Ｅ３と共に含まれる検出ＬＣネットの実現されたコンデンサがどれだけの容量を、又は相関サイズを有するかについての情報を提供する。入力回路Ｉは、入力回路Ｉを介して、ここに表されている検出範囲Ｄ内で人の手足が近接していることが記録されるように特に構築することができ、この検出範囲Ｄは、約６０ｍｍの広がりを有することが好ましい。
【００６９】
図２には、簡単な横断面図Ｉの形態で、本発明に従ってペレットのような構造物として形成された入力回路の可能な構造が示されている。入力回路Ｉは、平坦なプラスチックのポット構成部品として実施されたケース要素１と、床セクション２とを備える。床セクション２は、導体経路材料で被覆されており、この導体経路材料は、いくつかの平坦な巻線３を有するスプーラ・デバイスが床セクション２上に留まるように、部分的に切断される。さらに、ベース・プレート２上には、ＡＳＩＣ  ＡＣとして実施された回路構成がセットアップされており、コイル３と接続されている。一方では、ＡＳＩＣスイッチの電力供給が、コイル３を介して行われ、他方では、ＡＳＩＣスイッチを介して生成されるコマンド信号の出力が行われる。ＡＳＩＣスイッチＡＣは、その特別な機能特性、特に入力回路Ｉの特定のアドレス・コードの特別な機能特性が、教示のプロセスの範囲内で規定可能であるように形成される。電極デバイスＥ１、Ｅ２、Ｅ３もまた、プラスチックのポット１の内側に位置し、ＡＳＩＣスイッチＡＣに接続されている。このアセンブリは、電気デバイスのケーシングの内側、又はおそらくは外側の適切な位置で、粘着、締着、又は溶接接続によって固定することができ、したがって特定の配線出力なしでスイッチ機能を容易にすることができる。
【００７０】
本発明による入力回路Ｉの基本構造が、図３にさらに例示されている。図３による図に示されているように、入力回路Ｉは、入力コイル３、並びにＡＳＩＣスイッチＡＣ及び電極デバイスＥ１、Ｅ２、Ｅ３を備える。
【００７１】
ＡＳＩＣスイッチＡＣは、エネルギー・ハーベスタＨを備え、それを介して、入力コイル３に隣接する交番磁場Ｂによって測定される電力が記録され、たとえばゴールド・キャップ内で保存される。さらに、ＡＳＩＣスイッチＡＣは識別スイッチＩを備え、このスイッチを介して、スプーラ・デバイス３に隣接する信号発生により、入力デバイスＩが影響を受けるかどうか明らかにされる。さらに、ＡＳＩＣスイッチＡＣは、コマンド信号Ｓを、ある信号内容と共に入力コイル３を介して送出することができるように、Ｈａｖｅｓｔｅｒ装置Ｈを介して供給される電圧が変調される出力装置Ｒを備える。出力装置Ｒは、電極デバイスＥ１、Ｅ２、Ｅ３と結合される。電極デバイスＥ１、Ｅ２、Ｅ３は、この出力装置を介して活動化され、電極デバイスＥ１、Ｅ２、Ｅ３の周囲エリア内における電場−電気特徴に関する情報を提供する値が、出力装置を介して決定される。
【００７２】
電極デバイスＥ１、Ｅ２、Ｅ３上で交番電圧を設定するための必要エネルギーが、ＨａｖｅｓｔｅｒスイッチＨを介して供給される。ＨａｖｅｓｔｅｒスイッチＨは、より長い期間にわたって、入力スプーラ装置３を介して、それに隣接する交番磁場Ｂからエネルギーを拾い上げ、このエネルギーを、たとえばコンデンサ・デバイス、特にゴールド・キャップに貯蔵するように形成することができる。次いで、この貯蔵されたエネルギーは、ＡＳＩＣスイッチＡＣが適切な問合せアドレスによって活動化された場合、電極デバイスＥ１、Ｅ２、Ｅ３を含めて実現されたコンデンサの容量が決定されるテスト・サイクルを通して給電するために、使用可能である。次いで、この容量、又はこの十分に相関されたサイズの１つを、出力装置Ｒのエリア内で使用することができ、また制御信号Ｓの信号内容を生成又は決定するために使用することができる。
【００７３】
図４で明らかなように、電化製品及び家庭用電化製品の場合に展開するのに特に適した回路構成を、本発明による概念に基づいて実現することが可能である。
【００７４】
ここに表されている電気装置の場合には、たとえば洗濯機を指す。矩形コイル１１として提供され、パネルのアクセス性エリアの外縁部に沿って延在する信号受信及び操作信号トランシーバ装置ＳＥ、ＢＳが、上部機器エリア内で配置され、ユーザ・パネル１０のアクセス性のために典型的な形で設けられている。このスプーラ・デバイス１１は、相互接続ライン１２を介して、共通ベース接続部Ｂに接続される。この家庭用電化製品の単一の構成部品、たとえばモータ、加熱用構成部品、並びにバルブは、共通ベース接続部Ｂを介して活動化される。好ましくはプラスチック材料から製造されるユーザ・パネル１０は、その裏側のエリア内に、本発明による入力回路Ｉを備える。
【００７５】
ユーザ・パネル１０の表側の領域内には、スイッチ・エリアをインプリントすることができる。これらのスイッチ・エリアの領域では、追加の構造物、特に、ある種のハプティック・フィードバックを追加的に生成する制御ボタン構造物を形成することができる。
【００７６】
ユーザ・パネル１０を家庭用電化製品１２に一体化した後で、ユーザ・パネル１０内に含まれる入力回路Ｉがスプーラ・デバイス１１のエリア内に位置し、磁場Ｂによって検出される。一方で、入力回路Ｉは、スプーラ・デバイス１１に隣接するこの磁場Ｂを介してエネルギーを供給され、さらに、単一の入力回路Ｉを、直接活動化させることができる。すでに述べたように、入力回路Ｉは、電界センサとして提供され、これらのセンサを介して、それぞれの入力回路Ｉの周囲エリア内で人の手足によって引き起こされる電場−電気変化により、人の手足によって引き起こされた入力操作が記録される。入力回路Ｉは、十分な設計自由度をもってユーザ・パネル１０上で配置することができる。さらに、たとえばオペレータによって選択された様々なユーザ・パネルを、ここに表されている家庭用電化製品１２に装備することが可能である。本発明によれば、スプーラ・デバイス１１を介して、たとえばここに図示されている粉末洗剤引出しとしての可動構成部品に一体化される入力回路ＩＭと通信することも可能である。一方、これらの入力デバイスＩを介して、粉末洗剤引出しＩＭがそれに応じて家庭用電化製品１２内に挿入されているかどうか明らかにすることができる。さらに、必要な場合、引出しの充填レベルを、この入力回路を介して決定することができる。本発明による概念によって、隠れたエリア、特に電化製品のより奥に位置するエリアから情報を拾い上げ、それを共通ベース接続部Ｂに供給することも可能である。共通ベース接続部Ｂは、他の信号トランシーバ及び信号受信器巻線デバイスをその接続部によって活動化することができるように形成することができる。
【００７７】
この回路構成はまた、たとえば隠れたセンサ及びスイッチ・デバイスを介して信号を生成する他の入力回路を含むことができる。
【００７８】
図５の図で明らかなように、たとえばスクリーン１４の形態の電気装置内で、本発明による回路構成を使用することも可能である。スクリーン１４のケーシング・エリア内で、ここでは詳細に示されていないが、信号トランシーバとして、また信号受信デバイスとして働くスプーラ・デバイスがここに設置されている。非導電性プラスチックのケース１４の内側又は外側のほぼどんな場所でも、本発明による入力回路Ｉ１、Ｉ２、Ｉ３を配置することができ、たとえばオペレータによってこれらの入力回路Ｉ１、Ｉ２、Ｉ３に対して行われる入力操作を、オペレータによって活動化することができる。
【００７９】
さらに、本発明による概念は、車の分野での使用にも特に適している。本発明による概念により、自動車の内部に設置された１つ又は複数のスプーラ・デバイス３０、４０を介して、本発明による入力回路Ｉ１、Ｉ２．．．Ｉｎのための概略エリアを生み出すことが可能である。入力回路Ｉ１、ｌ２は、これらのスプーラ・デバイス３０、４０によって縁取られたエリア内で、十分な設計自由度をもって配置することができるＩ２。したがって、入力回路は、最終的に従来のスイッチ媒体に取って代わるように形成することができる。これらの入力回路Ｉ１、Ｉ２、Ｉ３を介して、たとえば、ユーザがある種の動作と共にこのグローブ・ボックスのあるエリアに近づいたときグローブ・ボックスを自動で開くことができる近接センサを実現することも可能である。
【００８０】
さらに、本発明による概念に基づいて、図７で明らかなように、ヘッド・レスト用の追跡システムを実現することも可能であり、好ましくは、いくつかの入力回路Ｉ１、Ｉ２．．．Ｉｎがヘッド・レスト５０内に一体化され、これらの入力回路Ｉ１、Ｉ２．．．Ｉｎを介してそれぞれ導出される、頭部の接近の状態について示すレベル値により、それぞれの場合において、ヘッド・レスト・デバイス５０が正しい垂直位置に位置しているかどうか、又は電気調整デバイスによって位置決めし直さなければならないかどうか最終的に決定することができる。電力供給用に、また信号転送を処理するために設けられるスプーラ・デバイス３０、４０は、ここに示されているようにヘッド・レスト５０内に設置することも、車のシート・バック５１のエリア内に設置することもできる。車のシート・バックのエリア内にスプーラ・デバイス５１を配置する際には、ヘッド・レスト調整モータ機能全体をシート・バック５１のエリア内に格納すること、また、本発明に従って形成され磁場Ｂを介してエネルギーを供給される適切な数の入力デバイスＩ１、Ｉ２、Ｉ３を、ヘッド・レスト５０内に一体化することが、有利な形で可能である。
【００８１】
図８では、レベル値Ｐの上昇が簡単なグラフの形態で示されており、したがって、人の手足が本発明による入力デバイスＩに近接している場合に気づくことが可能である。評価基準のトラクション・ラウンド・レイイング、たとえばレベル＋ダイナミクスの下で、レベル上昇の時間の経過から明確なスイッチ機能を決定することが可能である。図の実施形態では、一方では、たとえば、ある上昇勾配を伴うレベル上昇が閾値レベルＳＰの上で発生したかどうか、また、この顕著な上昇勾配が存在する段階Ｔ０と、最大レベルに到達する段階Ｔ１との間で、ある時間基準が満たされるかどうか確かめることが可能である。たとえば、レベル上昇基準Ｋ１とレベル最大値基準Ｋ２との間の時間間隔が０．１５秒未満である場合、これはしたがって、たとえばスイッチ操作として解釈することができる。
【００８２】
本発明による概念により、いくつかの入力回路の信号レベルの評価によって、又は特別な入力回路の適切な電極構成によって、検出システムを実現することもでき、これらの検出システムは、指の位置のＸ／Ｙ、又はおそらくはＺの決定をも可能にし、それにより、タッチ・パッド又は動き入力システムを実現することができることが有利である。
【００８３】
図９は、たとえばここでは指が近接していることによってオペレータによって引き起こされる、クライアント回路に隣接する原因イベントの１つに従って、また明確な動的プロファイルに従ってスイッチ信号を生成するための、いくつかのクライアント回路ＺＰＳを有する回路構成を示す。さらに、このスイッチ構成は、クライアント回路ＺＰＳによってそれぞれ発行されるスイッチ信号を記録するためのサーバ回路ＳＶを備える。サーバ回路ＳＶとのクライアント回路ＺＰＳの信号の技術的結合は、送信電極ＳＥＥを介して放射される変調された準静的交番電場に基づいて行われる。
【００８４】
単一のクライアント回路ＺＰＳは、それぞれ第１の電極ＥＬ１と第２の電極ＥＬ２とを有する電極デバイスを備える。この電極デバイスは、インターフェース媒体として働き、さらにそれぞれのクライアント回路ＺＰＳの電力供給に役立つ。
【００８５】
それぞれのクライアント回路ＺＰＳからサーバ回路ＳＶへの信号転送は、それぞれのＺＰＳのエリア内の負荷変調を介して行われる。ここに表されている回路構成は、負荷変調が、直列スイッチ、又は直列で接続された少なくとも２つのサブスイッチＳ１、Ｓ２によって行われることを特徴とする。
【００８６】
ＺＰＳクライアントは、（たとえばＺＰＳサーバによって供給される）交番電場に容量性接続され、クライアントの識別、及び／又はクライアントによって記録されたセンサ・データを含む信号を生成し、この信号が、たとえば負荷変調によってＺＰＳサーバに送信される電子回路である。
【００８７】
同期ＺＰＳクライアントは、同時に、その信号周波数をＺＰＳサーバの交番電場の周波数から逸脱させる。
【００８８】
図１０ａによるブロック回路図は、特定の識別子を周波数の形態で有する同期ＺＰＳクライアントの有利な基本構造を示す。この周波数は、サーバ周波数（＝キャリア周波数）の分割によって得られる。このタイプの異なるクライアントは、それらの相異なる周波数を介して区別される。
【００８９】
ここに詳細には示されていないＺＰＳサーバの交番電場が、電極の一方に結合され、第２の電極が、アース板と（容量性）接続される。実際に生じる結合容量は、主として０．１ｐＦから１ｐＦの領域内にある。
【００９０】
これらのスイッチは、クライアント電子回路を電極から大きく分離するのに役立つ。
【００９１】
直列スイッチによる負荷変調は、確実に負荷の変化がサーバにとって可能な限り最高になり、それと共に、変調の度合い（すなわち、ＳＮＲも）が最大になるようにする。スイッチは、サーバ信号の両半波に関する分離度を最大化するために、２つの反直列相互接続ＭＯＳ―ＦＥＴからなることが好ましい。
【００９２】
図１０ｂに例示されている変形形態の場合には、電圧生成により、キャリア信号からＤＣ電圧が処理され、過電圧保護が含まれる。十分な動作電圧が達成された後だけ、始動スイッチが分周器をオンに切り替え、最小限の許容可能な動作電圧がより不足した場合、オフに切り替える。
【００９３】
キャリアからの変調周波数の生成は、分周比Ｍ／Ｎで、１≦Ｍ≦３、Ｎ≦５１２になる。ＺＰＳクライアントは、サーバ信号を固定周波数で変調せず、特定のコードで変調する。ＺＰＳクライアントは、ＺＰＳサーバからの信号を受信し、信号周波数のための他の分割条件を使用し、測定されたデータを送信することに応じて、反応することができる。ＺＰＳクライアントは、サーバから送信されたデータ（たとえば、新しい分周比）を格納するために、不変記憶を有する。これを介して、クライアントは、器具内に設置された後でだけ、その割り当てられた「特性」を受信することができる。この（たとえば、ＩＤをＺＰＳクライアントに割り当てる）出力中にＺＰＳクライアントをプログラミングする可能性も存在する。ＺＰＳクライアントは、より複雑な変調法、たとえばＦＳＫを可能にし、クライアントがおそらくはこの目的のために他のスイッチを得るように形成することができる。ＺＰＳクライアントの範囲は、パルス・モードを介して増大させることができ、こうする際に、クライアントは、まず非活動状態で電力を収集し、次いでそれを動作に使用する。動作時のエネルギー消費が、クライアントが（非常に小さい）結合容量を介して継続的に受け取ることができるものより大きいと、パルスのような動作になる。
【００９４】
【数１】
0005558368.tif 000002
【００９５】
さらに、図１１は、本発明によるＺＰＳクライアントの特に好ましい構造を詳細な回路図の形態で示す。ここでは、サブスイッチが、反直列相互接続トランジスタＴ１、Ｔ２（ＭＯＳＦＥＴ）として設計されている。この特別な概念により、サーバＳＶ（図１参照）のために提供されたサーバ信号の両半波に関する分離度を最大化することが可能である。
【００９６】
図１２は、本発明によるシステムの変形形態を示しており、その場合、クライアント回路ＺＰＳは、サーバ・デバイスＳＶによってもたらされる電場を介してエネルギー獲得及び信号転送を実際に処理するように提供され、しかし、検出の発生によって引き起こされる観測エリアＯの誘電特性の変化を含む検出イベントの記録−ここでは指が近接していること−は、電極構成ＤＴ１、ＤＴ２を介してもたらされる。この概念に基づいて、（一点鎖線として示されている）信号経路ＳをユーザＡに導くことが可能である。ユーザＡの代わりに、観測エリアＯ内で確かめられる発生は、検出しようとする構成部品−ふるい、引出し、又は同様の構成部品によって引き起こすこともできる。この検出しようとする構成部品は、特に確実な検出を可能にする、少なくとも観測エリア内のそのいくつかの移入可能なエリアのうちのエリア内における特性を提供するものとして開発することができる。
【００９７】
ここで設計されている検出電極ＤＴ１、ＤＴ２を、電極ＥＬ１、ＥＬ２を介して離散的な電極として実現することも可能である。コア・スイッチＫ−ＺＰＳは、検出の発生を記録するための、また信号送信電極を実現するための、いくつかの接続可能性を提供するように形成することができる。本発明によるシステムは、最も異なる設計、特に図１による設計、及び図２による設計の入力回路を備えるように構築することができる。
【００９８】
図１２から明らかなように、入力によって指定されたクライアントの符号化の場合に、直交符号を選択することによって符号多重化システムを構築することができ、その場合、様々なクライアントは、もはや周波数多重化システムの場合のように周波数の違いによって区別されず、同じキャリア周波数の場合にすべてのクライアントに関して転送されるコード情報によって区別される。
【００９９】
図１４に例示されているように、様々なクライアントの符号化では、互いに前後に位置する２つのスイッチがクライアント内に設けられるようにすることができ、これらのクライアントのそれぞれが異なるスイッチ周波数で同時に動作され、したがって、それにより、周波数ではなくスイッチが、２つの周波数によって特徴付けられ、それにより、狭帯域の外部干渉に対する特に高いレベルの耐障害セキュリティが実現される。
【０１００】
図１５によれば、別の、２つ以上の周波数と１つのスイッチとを用いる符号化の可能性があり、その場合、２つ以上の異なる周波数で、スイッチが順次活動化され、これは、媒体スイッチ周波数のＦＳＫ変調として解釈することができる。これにより、高度な耐障害セキュリティが有利な形で実現される。
【０１０１】
連続的なスイッチ動作の代わりに、スイッチのパルス形態の動作とすることができ、それによって、クライアント内の電力要件が低くなり、このようにして、サーバとクライアントの間の距離の増大が容易になる。サーバ部でのパルス・グループ持続時間の測定により、ブリッジされた距離の動作範囲の測定をも行うことができる。
【０１０２】
図１６に例示されているものに基づいて、クライアント内でのスイッチ動作により、キャリアの負荷変調（＝ＡＳＫ）ではなく、クライアントによる給電キャリア上での１つ若しくは複数の周波数の、又はコードの付加的な重ね合わせもまた可能である。これは、クライアント内でサーバのキャリアによって活動化されるジェネレータが、サーバ電極上で、システム・サーバ／クライアントによって生み出されるネットワークを介して過結合し、キャリア周波数を除いて、クライアント信号の周波数混合が、ここでは付加的に、より低い周波数帯（ベースバンド）で行われるという点で、有利に行われる。一方では、これは、サーバ上の低域通過フィルタにより、キャリアからこの信号を非常に容易に分離することができる利点を有し、他方では、キャリア周波数付近で発生する潜在的な干渉信号がベースバンドに逆戻りして組み込まれることがなく、上述の低域通過フィルタにより単に抑圧される。さらに、クライアント信号をサーバ上で獲得するコストが明らかに削減される。
【０１０３】
［クライアントにとっての有利な技法］
クライアントのところでの電極の実施形態は、サンドイッチ形態（両電極が互いに平行）でもバタフライ構造（電極が互いに対して開いている）でも可能である。
【０１０４】
クライアントの取付けは、クリップ止め、接着、また特に他方、特により大きな電極システムに対する接続によって行うことができる。クライアントの電極は、特に、導電性薄膜、たとえばワニスによって実現することができる。
【０１０５】
［サーバにとっての有利な技法］
クライアントによって送信される情報（識別及びスイッチ・ステータス）を干渉なしに検出することを保証するために、１で述べた周波数分割による同期システムが存在する限り、相関受信の原理をサーバ上で使用することが好ましい。この相関受信は、プロセッサ上で複素離散フーリエ変換（ＤＦＴ）により行われ、プロセッサは、クライアント信号すべてを、固定された時間ウィンドウ中に同時に処理する。典型的には、この時間は、周波数多重化システムの原理が符号化に使用される場合、この時間の後で、その周波数範囲内のクライアントに関する必要情報すべてが、単一の複素数として使用可能になるように、３０ミリ秒から１００ミリ秒で構成される。サーバ部では、クライアントの周波数が既知であるため、周波数範囲内の相関受信に対応する、いわゆるゲーツェルアルゴリズムを使用することができる。
【０１０６】
［マルチクライアント／サーバ・システムの編成］
図１７で明らかなように、クライアントの相異なるグループに、異なるキャリア周波数を割り当てることができ、その結果、それらが異なるように活動化され、これにより、全体システムの一部に対する選択手段が生まれる（＝周波数多重化動作）。
【０１０７】
図１８で明らかなように、別の可能性が、いくつかの電極上で時間的に多重化スイッチを介して連続的にサーバをスイッチングし、したがって様々なクライアント・グループに結合することからなる（＝時間多重化動作）。様々な位置にある単一の自律的なサーバ／クライアント・システム内での空間分配により、マルチシステム（＝空間多重化動作）を実現することもできる。
【０１０８】
図１９で明らかなように、クライアントは、小さなスライス又は「カプセルのような」構成部品として、キャリア構成部品Ｐ、特に電化製品、特に家庭用電化製品の制御パネルの内部に固定することができるように開発することが可能である。これらの構成部品には、サーバによって生成される電場によってエネルギーが供給される。ここに示されているクライアントｎは、検出電極デバイスＤＴ１、ＤＴ２を有しており、これらを介して、電極デバイスＤＴ１、ＤＴ２の環境内の誘電特性の変化をＬＣネットワークＳＷによって検出し、ここに示されている他のスイッチを活動化するために使用することができる。一体化されたセンサを有するそのようなクライアント・デバイスは、十分な構築自由度をもって制御パネル上に配置することができ、それにより、これらの制御パネル上に、ユーザがスイッチ操作を行うための入力ゾーンを生み出す。
【図１】
0005558368.tif 000003
【図２】
0005558368.tif 000004
【図３】
0005558368.tif 000005
【図４】
0005558368.tif 000006
【図５】
0005558368.tif 000007
【図６】
0005558368.tif 000008
【図７】
0005558368.tif 000009
【図８】
0005558368.tif 000010
【図９】
0005558368.tif 000011
【図１０】
0005558368.tif 000012
【図１１】
0005558368.tif 000013
【図１２】
0005558368.tif 000014
【図１３】
0005558368.tif 000015
【図１４】
0005558368.tif 000016
【図１５】
0005558368.tif 000017
【図１６】
0005558368.tif 000018
【図１７】
0005558368.tif 000019
【図１８】
0005558368.tif 000020
【図１９】
0005558368.tif 000021